(57)【要約】【課題】戸建て住宅にも適用可能な簡便な構成であり、本体でのキー操作をすることなく外部からの通信で開錠できるようにする宅配ボックスを提供する。【解決手段】宅配ボックス１が、宅配物を収容する収容部２と、収容部２に取付けられた開閉可能な扉３と、扉３を施錠および開錠するための扉ロック機構４と、扉３に設けられた受領用の捺印をするための配達伝票８を挿入する配達伝票捺印口９と、配達伝票８に受領用の捺印をする捺印機構15と、外部に動作状況の情報を送信し、外部から扉３の施錠および開錠の指示を受信する通信装置５と、扉３の施錠および捺印を行うための操作機構10と、配達伝票捺印口９に配達伝票８が挿入されたことを検知する検知手段19と、を備え、検知手段19が配達伝票捺印口９に配達伝票８が挿入されたことを検知すると、操作機構10が操作可能になり、且つ、通信装置５が通信可能になる構成とする。【選択図】図１
2019146761.tif 000002
【特許請求の範囲】
【請求項１】
宅配物を収容する収容部と、
前記収容部に取付けられた開閉可能な扉と、
前記扉を施錠および開錠するための扉ロック機構と、
前記扉に設けられた受領用の捺印をするための配達伝票を挿入する配達伝票捺印口と、
前記配達伝票に受領用の捺印をする捺印機構と、
外部に動作状況の情報を送信し、外部から扉の施錠および開錠の指示を受信する通信装置と、
前記扉の施錠および捺印を行うための操作機構と、
前記配達伝票捺印口に前記配達伝票が挿入されたことを検知する検知手段と、を備え、
前記検知手段が前記配達伝票捺印口に前記配達伝票が挿入されたことを検知すると、前記操作機構が操作可能になり、且つ、前記通信装置が通信可能になる構成としたことを特徴とする宅配ボックス。
【請求項２】
前記通信装置から送信された情報を、通信ネットワークを介して受信する携帯型情報端末装置により、前記扉を施錠および開錠することができる構成としたことを特徴とする請求項１に記載の宅配ボックス。
【請求項３】
予め指定したＷｉ−Ｆｉルータを介して前記通信装置と通信接続した携帯型情報端末装置により、前記扉を施錠および開錠することができる構成としたことを特徴とする請求項１または２に記載の宅配ボックス。
【請求項４】
前記通信装置を通信可能にする接続ボタンをさらに備えることを特徴とする請求項１〜３のいずれか１項に記載の宅配ボックス。
【請求項５】
前記検知手段がマイクロスイッチにより構成されることを特徴とする請求項１〜４のいずれか１項に記載の宅配ボックス。
【請求項６】
前記動作状況の情報が、少なくとも、前記宅配物の到着・施錠日時、前記扉の開錠日時、開錠のための開錠暗証番号、および、到着・施錠開錠履歴であることを特徴とする請求項１〜５のいずれか１項に記載の宅配ボックス。
【請求項７】
前記捺印機構が、印鑑の乾燥を防止するためのシャッターを備えることを特徴とする請求項１〜６のいずれか１項に記載の宅配ボックス。
【発明の詳細な説明】
【技術分野】
【０００１】
本発明は宅配物を収容する宅配ボックスに関する。
【背景技術】
【０００２】
従来、主として戸建て住宅又はマンション等の集合住宅において、宅配業者によって配達される宅配物を、居住者が不在であっても受け取ることを可能にする宅配ボックスが種々提案されている（例えば、特許文献１）。
【先行技術文献】
【特許文献】
【０００３】
【特許文献１】特開２００２−８５２４７号公報
【発明の概要】
【発明が解決しようとする課題】
【０００４】
特許文献１に記載の宅配ボックスのような集合住宅向けの宅配ボックスは、構成が大規模かつ複雑であり、配線工事が必要であったり、メンテナンス等の維持費がかかるので、戸建て住宅用の宅配ボックスへの適用は困難であった。
【０００５】
上記のような宅配ボックスは、多くの場合、宅配物を宅配ボックスから取り出す際に、宅配ボックスに設けられたキーを操作して個別の暗証番号を入力する。このように数字を入力するキーや扉を開錠するための開錠ボタンが設けられた宅配ボックスでは、暗証番号が盗まれるなどして第三者に暗証番号を知られてしまった場合、第三者によって宅配物を取り出すことが可能になってしまう。
【０００６】
本発明は、このような事情に鑑みてなされたものであり、戸建て住宅にも適用可能なように簡便な構成であり、また、本体でのキー操作をすることなく外部からの通信で開錠できるようにすることでセキュリティ性を向上し、さらに、通信機能を有することで例えば一人暮らしの方などの安否確認としても利用可能な宅配ボックスを提供する。
【課題を解決するための手段】
【０００７】
本発明はかかる課題を解決するため、宅配物を収容する収容部と、前記収容部に取付けられた開閉可能な扉と、前記扉を施錠および開錠するための扉ロック機構と、前記扉に設けられた受領用の捺印をするための配達伝票を挿入する配達伝票捺印口と、前記配達伝票に受領用の捺印をする捺印機構と、外部に動作状況の情報を送信し、外部から扉の施錠および開錠の指示を受信する通信装置と、前記扉の施錠および捺印を行うための操作機構と、前記配達伝票捺印口に前記配達伝票が挿入されたことを検知する検知手段と、を備え、前記検知手段が前記配達伝票捺印口に前記配達伝票が挿入されたことを検知すると、前記操作機構が操作可能になり、且つ、前記通信装置が通信可能になる構成とした宅配ボックスを提供する。
【０００８】
前記宅配ボックスは、前記通信装置から送信された情報を、通信ネットワークを介して受信する携帯型情報端末装置により、前記扉を施錠および開錠することができる構成とする場合がある。
【０００９】
前記宅配ボックスは、予め指定したＷｉ−Ｆｉルータを介して前記通信装置と通信接続した携帯型情報端末装置により、前記扉を施錠および開錠することができる構成とする場合がある。
【００１０】
前記宅配ボックスは、前記通信装置を通信可能にする接続ボタンをさらに備える場合がある。
【００１１】
前記宅配ボックスは、前記検知手段がマイクロスイッチにより構成される場合がある。
【００１２】
前記宅配ボックスは、前記動作状況の情報が、少なくとも、前記宅配物の到着・施錠日時、前記扉の開錠日時、開錠のための開錠暗証番号、および、到着・施錠開錠履歴である場合がある。
【００１３】
前記宅配ボックスは、前記捺印機構が、印鑑の乾燥を防止するためのシャッターを備える場合がある。
【発明の効果】
【００１４】
本発明の宅配ボックスによれば、無線通信による外部通信により開錠を行うように構成することで、戸建て住宅にも適用可能な簡便な構成で、セキュリティ面での強化を図ることができる。さらに、通信機能を活用し、受取人以外の指定者が操作可能としたり、宅配ボックスを開錠して宅配物の受取を行った日時を指定者に通知することで、例えば一人暮らしの方などの安否確認に活用することができる。
【図面の簡単な説明】
【００１５】
【図１】本発明の実施の形態に係る宅配ボックスの全体正面図である。
【図２】同上、側面図である。
【図３】同上、操作部の操作面を示す概念図である。
【図４】同上、操作部、電源、操作レバーロック機構、および扉ロック機構の概略図である。
【図５】同上、印鑑乾燥防止シャッターの動作を示す概略図である。
【図６】同上、印鑑により配達伝票に捺印する様子を示す概略図である。
【図７】同上、操作レバーロック機構の構成を示す図である。
【図８】同上、扉ロック機構の構成を示す図である。
【図９】同上、宅配ボックスの通信システムの構成例を示す概念図である。
【図１０】同上、携帯型情報端末装置の表示画面の表示例（操作画面）を示す図である。
【図１１】同上、携帯型情報端末装置の表示画面の表示例（履歴表示画面）を示す図である。
【図１２】同上、宅配ボックスの構成例を示すブロック図である。
【図１３】同上、入庫の際の流れを示すフローチャートである。
【図１４】同上、受取人の出庫の際の流れを示すフローチャートである。
【図１５】同上、指定者の出庫の際の流れを示すフローチャートである。
【発明を実施するための形態】
【００１６】
以下、図面を参照して、本発明の宅配ボックスの好ましい実施の形態について説明する。
【００１７】
図１および図２は、本発明に係る宅配ボックス１の外観の一例を示す正面図および側面図である。宅配ボックス１は、宅配物を収容する収容部２と、当該収容部２の開口面を塞ぎ、宅配物の入庫および出庫が可能なように、開閉可能に取付けられた扉３を備える。当該扉３は、扉３を施錠および開錠するための扉ロック機構４（図４を参照）を備える。通常の状態では、扉３は図示しないスプリングにより閉まる方向に付勢されて閉まった状態であり、扉ロック機構４は開錠された状態である。宅配ボックス１はさらに、扉３の施錠や開錠等の動作状況の情報を外部に送信し、外部から扉３の施錠および開錠の指示を受信する通信装置５を備える。
【００１８】
（操作部）
宅配ボックス１の扉３には、図３に示すような操作部６が設けられる。通常は操作部扉７が閉じた状態で、操作部６が外部環境から保護されるようになっており、操作部６の操作時には操作部扉７を開けて操作を行う。操作部６は、受領用の捺印をするための配達伝票８を挿入する配達伝票捺印口９と、扉３の施錠および捺印を同時に行うための操作機構10と、通信装置５を通信可能にする接続ボタン11とを備える。操作機構10は操作レバー12を備え、当該操作レバー12を下に動かすことで、扉３の施錠と捺印ができるようになっている。操作部６にはさらに、扉３のロック状態に応じて点灯、点滅および消灯するロック表示ランプ13と、通信装置５の接続状態に応じて点灯、点滅および消灯する接続表示ランプ14とが設けられる。
【００１９】
ロック表示ランプ13は、例えば緑色のランプであり、待機時（開錠状態時）は消灯、施錠状態時は点灯、施錠時は１０秒間点灯、開錠時は１０秒間点滅後に消灯するよう設定することができる。接続表示ランプ14は、例えば赤色のランプであり、待機時は消灯、接続中は点滅、接続完了すると点灯、操作が終了すると１０秒後に消灯するように設定することができる。
【００２０】
図４は操作部６の内部を示す。操作部６は、配達伝票８に受領用の捺印をする捺印機構15を備え、捺印機構15は、図５に示す、印鑑18の乾燥を防止するための印鑑乾燥防止シャッター16と、配達伝票捺印口９に配達伝票８が挿入されたことを検知する検知手段19とを備える。印鑑乾燥防止シャッター16は、通常の状態では、ばね機構17により印鑑18を上方向に付勢している。操作機構10の操作レバー12が下に動かされると、ばね機構17が時計回りに回転して印鑑乾燥防止シャッター16を回転させ、図６に示すように印鑑18の付勢が解かれて印鑑18が下に動き、配達伝票８に捺印される。印鑑18は、例えばシャチハタ印等の浸透印を着脱可能に取付けることができる。
【００２１】
配達伝票捺印口９の上部には、検知手段19としてのマイクロスイッチが設けられる。マイクロスイッチ19により、配達伝票捺印口９に配達伝票８が挿入されたことを検知する。マイクロスイッチ19が、配達伝票捺印口９に配達伝票８が挿入されたことを検知すると、操作機構10が操作可能になり、且つ、通信装置５が通信可能になるよう構成される。
【００２２】
（電源）
図３では操作部６は扉３の左上部付近に設けられており、図４に示すように、当該操作部６等に電力を供給する電源20としての電池を収納する電池ボックスが、操作部６の左上部に設けられている。電源20は、例えば、単三乾電池を４本直列に接続して６Ｖの電源とすることができる。
【００２３】
（操作レバーロック機構）
操作部６の左方には、操作レバーロック機構21が設けられている。当該操作レバーロック機構21は、通常の状態では、操作レバー12を下に動かすことができないように操作レバー12を固定している。操作レバーロック機構21のより詳細な構成を図７に示す。本実施の形態では、操作レバー12の固定および固定解除を行うために、正回転および逆回転可能なモータ22の軸にスクリュー23を取付けたものを用いている。通常の状態では、スクリュー23の先端に取付けられた操作レバーロック板24の係止部25が操作レバー12に係止して、操作レバー12が固定される。モータ22を例えば正回転させると、スクリュー23が回転し、操作レバーロック板24が図７中の左方に移動し、係止部25が外れ、操作レバー12を下に動かすことができるようになる。
【００２４】
操作レバー12が一旦下げられると、操作レバー12は自動的に元の位置に戻るようにしてもよい。この場合、いたずら防止のため、収容された宅配物を取り出すまで操作レバー12を下に動かすことができないように、操作レバー12が上に動いた後に、モータ22を例えば逆回転させて操作レバーロック板24を右方に移動させ、再び操作レバー12が固定されるようにしてもよい。
【００２５】
（扉ロック機構）
図４において、操作レバーロック機構21の下方には、扉ロック機構４が設けられている。扉ロック機構４は、扉３を閉じた状態で施錠および開錠する。扉ロック機構４のより詳細な構成を図８に示す。本実施の形態では、扉３の施錠および開錠を行うために、正回転および逆回転可能なモータ26の軸にスクリュー27を取付けたものを用いている。通常の状態では、スクリュー27の先端に取付けられた扉ロック板28が図８中の位置に対し右方に位置する状態であり、扉３は開錠されている。操作レバー12が下に動かされると、モータ26を例えば逆回転させる。これにより、扉ロック板28が図８中の左方に移動して図８に示す状態になり、扉３が施錠される。扉３を開錠する場合には、モータ26を例えば正回転させて扉ロック板28を右方に移動させる。また、扉ロック機構４は、手動扉ロック機構29を備え、電池切れや扉ロック機構４の故障時に、手動で扉３を施錠および開錠することが可能になっている。
【００２６】
（宅配ボックスとの間の通信）
図９において、宅配ボックス１の通信装置５は、インターネット網等の通信ネットワーク30との接続を中継するルータ31と通信可能に構成される。通信装置５とルータ31との間は、無線プロトコルを使用して連結されればよい。通信装置５は、例えば、Ｗｉ−Ｆｉ（登録商標）ルータ31と信号を送受信して、通信ネットワーク30に情報をアップロードおよびダウンロードすることができる。
【００２７】
32は通信ネットワークに情報をアップロードおよびダウンロードできるように接続されたサーバーである。サーバー32には、宅配ボックス１からの通信によりＷｉ−Ｆｉルータ31を介して通信ネットワーク30にアップロードされた、宅配物の到着・施錠日時、前記扉の開錠日時、開錠のための開錠暗証番号、および、到着・施錠開錠履歴等の情報をダウンロードして保存することができる。
【００２８】
33は受取人の携帯型情報端末装置であり、34は受取人の家族や親戚等の指定者、または宅配業者の携帯型情報端末装置である。受取人以外の指定者を含む送信先の携帯型情報端末装置34は、複数指定することができる。携帯型情報端末装置33，34としては、携帯電話やスマートフォン、タブレット端末等を使用することができる。携帯型情報端末装置33，34には、図１０および図１１に示すような設定画面等が表示され、受取人、指定者および宅配業者が宅配ボックス１の操作を行ったり、情報の確認を行うことができる。具体的な宅配ボックス１の操作の一例としては、携帯型情報端末装置33，34の画面上で操作を行うことで、通信により扉３を施錠および開錠することができる。当該操作は、通信装置５から送信された情報を、通信ネットワーク30を介して受信する携帯型情報端末装置33，34により行うので、遠隔地からも行うことができる。
【００２９】
入庫および出庫の情報は、その都度、受取人および／または指定者の携帯型情報端末装置33，34に連絡される。このような動作状況の情報は、少なくとも、宅配物の到着・施錠日時35、扉の開錠日時36、開錠のための開錠暗証番号37、および、到着・施錠開錠履歴38を含むことが好ましい。開錠暗証番号37は、その都度生成し、セキュリティ面の強化を図ることもできる。尚、開錠暗証番号37は、受取人のみに送信されるようにするのが好ましい。携帯型情報端末装置33，34では、施錠および開錠の履歴38を管理することができ、当該履歴のデータはサーバー32に保存される。指定した受取人以外の指定者の宛先にメールを送信し、例えば一人暮らしの方などの安否確認用として使用することもできる。この場合、例えば２４時間後など、指定した一定時間を経過しても宅配ボックス１が開錠されなかった場合に、予め指定した例えば第一近親者などの指定者に、開錠されていない旨を通知することができる。また、宅配物が長時間取り出されない場合の通知として、予め指定した一定時間経過後に、宅配物取り忘れの通知を行うこともできる。また、宅配ボックス１の通信装置５と携帯型情報端末装置33，34との間で定期的に通信させるようにしてもよい。これにより、通信時に、携帯型情報端末装置33，34の画面上のボタン操作による指示の情報、例えば、扉３の開錠を許可するかどうかについての情報を送ることができる。
【００３０】
（携帯型情報端末装置の表示画面）
図１０に示す携帯型情報端末装置33，34の表示画面の表示例では、「到着・施錠日時」欄に宅配物の到着・接続日時35が表示される。「開錠日時」欄には、扉３の開錠日時36が表示される。「開錠暗証番号」欄には、扉３を開錠するための開錠暗証番号37が表示される。開錠暗証番号37は、指定者の携帯型情報端末装置34では非表示にする。「履歴」ボタン39を押すと、図１１に示すような、到着・施錠開錠履歴一覧38が表示される。電池残量が少なくなった場合や、電池切れの場合には、「電池交換をしてください。」といった電池切れ表示40を行うこともできる。「開錠」ボタン41および「施錠」ボタン42を押すことで、通信により、それぞれ扉３の開錠および施錠を行うことができる。
【００３１】
本実施の形態の宅配ボックス１の構成を図１２に示すブロック図に基づいて説明する。宅配ボックス１は、上述したように、電源20、操作レバーロック機構21、扉ロック機構４、捺印機構15、操作部６、および通信装置５を備える。操作部６は、配達伝票捺印口９、操作機構10、接続ボタン11、および、ロック表示ランプ13と接続表示ランプ14とからなる表示ランプを備える。電源20は、操作レバーロック機構21、扉ロック機構４、操作部６、通信装置５、および制御部43に電力を供給する。
【００３２】
制御部43は、少なくともＣＰＵ（中央演算処理装置）44と記憶装置45とを備え、上記各部の制御を司る。すなわち、制御部43は、電源制御手段、操作レバーロック機構制御手段、扉ロック機構制御手段、捺印機構制御手段、操作部制御手段、および通信装置制御手段を備える。ＣＰＵ44は、通常、スタンバイ状態であり、扉３を開けた後に閉めて、配達伝票捺印口９に挿入された配達伝票８を検知すると起動し、通信装置５がＷｉ−Ｆｉルータ31にも接続可能となるように構成される。さらに、操作機構10の操作レバー12を下に動かすことができるようにもなる。
【００３３】
以上のような構成の本実施の形態に係る宅配ボックス１の具体的な動作について、図１３、図１４および図１５に示すフローチャートに基づいて説明する。
【００３４】
（宅配物の入庫）
通常の状態では、宅配ボックス１は扉３が閉まった状態であるが、扉ロック機構４は開錠されている。宅配業者は、宅配ボックス１の扉３を開けて（ステップS11）、宅配物を収容部２に収容し（ステップS12）、宅配ボックス１の扉３を閉める（ステップS13）。宅配業者は、操作部扉７を開けて、配達伝票捺印口９に配達伝票８を挿入する（ステップS14）。操作レバー12が操作可能になるので、操作レバー12を下に動かすと、配達伝票８に捺印されると同時に、扉３が施錠される（ステップS15）。
【００３５】
（受取人等との通信）
制御部43の内部ＣＰＵ44は、通常、スタンバイ状態であるが、配達伝票捺印口９に配達伝票８が挿入されたことが検知されると、起動し、通信装置５とＷｉ−Ｆｉルータ31との間の通信が可能になる。ＣＰＵ44はさらに、受取人以外の指定者が宅配物を取り出すために宅配ボックス１の「接続」ボタン11を押した場合、扉３を開錠するための開錠暗証番号37をランダムに作成し、作成された開錠暗証番号37を、指定された受取人の携帯型情報端末装置33に例えばショートメール等で送信することができる。
【００３６】
（受取人による宅配物の出庫）
図１４を参照すると、受取人は、携帯型情報端末装置33でダウンロードした専用アプリを起動して所定の操作画面を表示し、宅配ボックス１の「接続」ボタン11を押す（ステップS21）。「接続」ボタン11が押されると、内部の通信装置５が起動する。受取人は、例えば自宅のＷｉ−Ｆｉルータ31を宅配ボックス１と通信できるように設定しておく。このようにして予め指定したＷｉ−Ｆｉルータ31を介して携帯型情報端末装置33と宅配ボックス１の通信装置５との間の通信接続が完了すると、携帯型情報端末装置33の操作画面に表示された「開錠」ボタン41が有効になる。受取人は、携帯型情報端末装置33の画面上で到着・施錠日時35を確認する（ステップS22）。その後、「開錠」ボタン41を押すと（ステップS23）、通信により扉３が開錠される。受取人は扉３を開けて宅配物を取り出すことができる。このように、受取人の自宅のＷｉ−Ｆｉルータ31を介して通信接続した場合にのみ開錠できるようにすることで、開錠暗証番号37を入力することなく開錠できるようにしても、セキュリティ性を向上しながら、出庫の作業を簡便にすることができる。また、例えば受取人の家族など、受取人の自宅のＷｉ−Ｆｉルータ31に接続可能な指定者は、Ｗｉ−Ｆｉルータ31を介して通信接続することにより、携帯型情報端末装置34により、扉３を開錠することができる。
【００３７】
（家族や親戚等の指定者による宅配物の出庫）
受取人の家族や親戚など、受取人以外の指定者は、上記の操作に加え、開錠暗証番号37を入力することで、通信により開錠することもできる。図１５を参照すると、指定者は、携帯型情報端末装置34でダウンロードした専用アプリを起動して所定の操作画面を表示し、宅配ボックス１の「接続」ボタン11を押す（ステップS31）。「接続」ボタン11が押されると、内部の通信装置５が起動する。携帯型情報端末装置34と宅配ボックス１の通信装置５との間の通信接続が完了すると、ランダムに作成された開錠暗証番号37が、宅配ボックス１の通信装置５を介して受取人の携帯型情報端末装置33に送信される。また、指定者の携帯型情報端末装置34の操作画面に表示された「開錠」ボタン41が有効になる。指定者は、携帯型情報端末装置34の画面上で到着・施錠日時35を確認する（ステップS32）。その後、受取人から上記の開錠暗証番号37を聞いて、テンキー等を使用して所定の欄に入力した後に（ステップS33）、「開錠」ボタン41を押すと（ステップS34）、通信により扉３が開錠される。指定者は扉３を開けて宅配物を取り出すことができる。このように、Ｗｉ−Ｆｉルータ31を介さない通信の場合でも、開錠暗証番号37を受取人から直接聞いた指定者のみが開錠できるようにすることで、セキュリティ性を向上することができる。
【００３８】
上述の設定では、１つ目の宅配物を入庫した後、扉３が開錠されて宅配物を取り出すまで、配達伝票捺印口９に配達伝票８を挿入しても、操作レバー12を下に動かせられない設定を前提としているので、宅配物は１つしか入庫できない。これに対し、２つ目の宅配物を入れられるように構成することもできる。例えば、宅配業者に宅配ボックス１の操作部６の「接続」ボタン11を押してもらい、宅配業者の携帯型情報端末装置34を使用して、指定された開錠暗証番号37を入力し、「開錠」ボタン41を押して開錠した後に宅配物を入れて、最後に「施錠」ボタン42を押すことで、２つ目の宅配物の入庫を行うようにすることができる。
【００３９】
以上のように、本実施の形態では、宅配ボックス１が、宅配物を収容する収容部２と、収容部２に取付けられた開閉可能な扉３と、扉３を施錠および開錠するための扉ロック機構４と、扉３に設けられた受領用の捺印をするための配達伝票８を挿入する配達伝票捺印口９と、配達伝票８に受領用の捺印をする捺印機構15と、外部に動作状況の情報を送信し、外部から扉３の施錠および開錠の指示を受信する通信装置５と、扉３の施錠および捺印を行うための操作機構10と、配達伝票捺印口９に配達伝票８が挿入されたことを検知する検知手段19と、を備え、検知手段19が配達伝票捺印口９に配達伝票８が挿入されたことを検知すると、操作機構10が操作可能になり、且つ、通信装置５が通信可能になるよう制御する制御部43を備えている。
【００４０】
この場合、宅配ボックス１の扉３を開錠するための暗証番号を入力するキーや開錠ボタンを宅配ボックス１に設ける必要がないので、受取人および受取人から開錠暗証番号37を聞いた指定者以外の人が開錠暗証番号37を入力したり開錠ボタン41を押すことができず、戸建て住宅にも適用可能な簡便な構成で、セキュリティ面での強化を図ることができる。
【００４１】
本実施の形態の宅配ボックス１は、通信装置５から送信された情報を、通信ネットワーク30を介して受信する携帯型情報端末装置33，34により、扉３を施錠および開錠することができる構成とする場合がある。
【００４２】
この場合、扉３の施錠ボタン42および開錠ボタン41を押すことができる者を、予め指定した携帯型情報端末装置33，34の所有者に限定することができるので、セキュリティ性が向上する。また、受取人以外の指定者の携帯型情報端末装置34に通知することで、受取人以外の指定者が操作可能としたり、受取人が宅配ボックス１を開錠して宅配物の受取を行った日時を指定者が見ることで、例えば一人暮らしの方などの安否確認にも活用することができる。
【００４３】
本実施の形態の宅配ボックス１は、予め指定したＷｉ−Ｆｉルータ31を介して前記通信装置５と通信接続した携帯型情報端末装置33，34により、前記扉３を施錠および開錠することができる構成とする場合がある。
【００４４】
この場合、受取人の自宅のＷｉ−Ｆｉルータ31を介して通信接続した場合にのみ開錠できるようにすることで、セキュリティ性を向上することができる。また、例えば受取人の家族など、受取人の自宅のＷｉ−Ｆｉルータ31に接続可能な指定者は、Ｗｉ−Ｆｉルータ31を介して通信接続することにより、携帯型情報端末装置34により、扉３を開錠することができる。
【００４５】
本実施の形態の宅配ボックス１は、通信装置５を通信可能にする接続ボタン11をさらに備える構成とする場合がある。
【００４６】
この場合、宅配ボックス１の扉３を開錠する場合等、必要なときにのみ宅配ボックス１の通信装置５を起動し、通信可能にすることができる。
【００４７】
本実施の形態の宅配ボックスは、検知手段19がマイクロスイッチにより構成される場合がある。
【００４８】
この場合、簡易な構成で配達伝票８の挿入を確実に検知することができる。
【００４９】
本実施の形態の宅配ボックス１は、動作状況の情報が、少なくとも、宅配物の到着・施錠日時35、扉の開錠日時36、開錠のための開錠暗証番号37、および、到着・施錠開錠履歴38である構成とする場合がある。
【００５０】
この場合、受取人や受取人以外の指定者が、携帯型情報端末装置33，34を使用して操作したり、到着・施錠開錠の履歴38の管理を行うことができる。
【００５１】
本実施の形態の宅配ボックス１は、捺印機構15が、印鑑の乾燥を防止するためのシャッター16を備える構成とする場合がある。
【００５２】
この場合、印鑑18のインクが乾燥して捺印できなくなることを防ぐことができる。
【００５３】
以上、本発明を実施の形態に基づいて説明したが、本発明は種々の変形実施をすることができる。例えば、携帯型情報端末装置33，34での操作は、ダウンロードした専用アプリを起動して所定の操作画面上で操作できるようにしているが、専用ページにアクセスして操作を行うようにしてもよい。また、開錠暗証番号37を受取人に送信するタイミングは、宅配業者が宅配物を入庫して施錠が完了したときとしてもよい。また、扉ロック機構４の電気錠や、操作レバーロック機構21は、上述したものと同じ動作・作用を実現できれば、上述の構成に限定されるものではない。また、配達伝票捺印口９に配達伝票８が挿入されたことを検知する検知手段19は、マイクロスイッチの他、各種センサを使用してもよい。
【符号の説明】
【００５４】
１  宅配ボックス
２  収容部
３  扉
４  扉ロック機構
５  通信装置
８  配達伝票
９  配達伝票捺印口
10  操作機構
11  接続ボタン
15  捺印機構
16  シャッター（印鑑乾燥防止シャッター）
18  印鑑
19  検知手段（マイクロスイッチ）
30  通信ネットワーク
31  Ｗｉ−Ｆｉルータ
33，34  携帯型情報端末装置
35  到着・施錠日時
36  開錠日時
37  開錠暗証番号
38  到着／施錠開錠履歴
【図１】
2019146761.tif 000003
【図２】
2019146761.tif 000004
【図３】
2019146761.tif 000005
【図４】
2019146761.tif 000006
【図５】
2019146761.tif 000007
【図６】
2019146761.tif 000008
【図７】
2019146761.tif 000009
【図８】
2019146761.tif 000010
【図９】
2019146761.tif 000011
【図１０】
2019146761.tif 000012
【図１１】
2019146761.tif 000013
【図１２】
2019146761.tif 000014
【図１３】
2019146761.tif 000015
【図１４】
2019146761.tif 000016
【図１５】
2019146761.tif 000017